(57)【要約】【課題】  便座の裏面に付着した汚水が便座を起立させたときに、ヒンジ部に流下するのを防止し、掃除がし難いヒンジ部を汚すことがないようにする。【解決手段】  便座２及び便蓋３をヒンジ部４において回動自在にしている便器である。便座２の裏面に付着した汚水が起立させた便座２より上記ヒンジ部４に向けて流下するのを阻止する阻止部５を便座２の裏面に設けた。【選択図】        図１
2006000490.tif 000002
【特許請求の範囲】
【請求項１】
便座及び便蓋をヒンジ部において回動自在にしている便器であって、便座の裏面に付着した汚水が起立させた便座より上記ヒンジ部に向けて流下するのを阻止する阻止部を便座の裏面に設けて成ることを特徴とする便器。
【請求項２】
阻止部は、便座の起立状態においてヒンジ部の上方部から便座の左右中心付近の便座下縁部に向けて下り傾斜する突リブにて形成して成ることを特徴とする請求項１記載の便器。
【発明の詳細な説明】
【技術分野】
【０００１】
本発明は、便座及び便蓋をヒンジ部において回動自在にしている便器に関し、詳しくは、外観を低下させることなく、便座の裏面に付着した汚水が起立させた便座よりヒンジ部に流下するのを阻止しようとする技術に係るものである。
【背景技術】
【０００２】
従来、便器本体の開口に比べて便座の開口の方が小さく、便器本体の開口部内に便座の内周縁部が臨むことになり、大便や小便時に便器の内部の汚水が跳ね返って便座の裏面に付着するのである。このように汚水が裏面に付着した便座を回動させて起立させた場合に、便座より流下した汚水が掃除がし難いヒンジ部に伝い込み、回動軸を金属性にする場合には腐蝕させてしまうのである。更に、回転軸を便器の外側方に向けている場合には、回転軸よりの汚水が便器側面を伝い、便器周部に沿う床面を腐蝕させることがある。
【０００３】
ところで、男子小便用ではあるが、起立させた便座の一部の裏面と便器本体とヒンジ部を覆うように使用する尿飛散防止用シートが知られている。（例えば、特許文献１参照）
上記特許文献１に示される構成においては、尿飛散防止シートを起立させた便座の一部の裏面と便器本体とヒンジ部を覆うようにするのであり、尿飛散防止シートの使用が面倒になり、また、外観も低下するなどという問題があった。
【特許文献１】特開２００４−１４１３５３号公報
【発明の開示】
【発明が解決しようとする課題】
【０００４】
本発明は上記の従来の問題点に鑑みて発明したものであって、外観が低下することなく、便座の裏面に付着した汚水がヒンジ部に流下するのを防止し、かつ、流下する汚水を便器内へと導きやすく、掃除も容易となる便器を提供することを課題とするものである。
【課題を解決するための手段】
【０００５】
請求項１の発明は、便座２及び便蓋３をヒンジ部４において回動自在にしている便器であって、便座２の裏面に付着した汚水が起立させた便座２より上記ヒンジ部４に向けて流下するのを阻止する阻止部５を便座２の裏面に設けていることを特徴とするものである。
【０００６】
このような構成によれば、便座２の裏面に設けた阻止部５によって便座２の裏面に付着した汚水が便座２のヒンジ部４に滴下するのを阻止することができ、掃除が困難なヒンジ部４を汚すことがなく、かつ、阻止部５は便座２の裏面に設けられていて、従来の尿飛散防止シートのように使い勝手を低下させることがなく、外観も低下させることがない。
【０００７】
請求項２の発明においては、阻止部５は、便座２の起立状態において便座２のヒンジ部４の上方部から便座２の左右中心付近の便座下縁部に向けて下り傾斜する突リブ６にて形成していることを特徴とするものである。
【０００８】
このような構成によれば、便座２の裏面に付着した汚水は突リブ６にてガイドされてヒンジ部４の上方部から左右中心部付近の便座下縁部に向けて流下され、便器本体１へと導くことが容易となり、一層、掃除が楽になる。
【０００９】
この場合、阻止部５、突リブ６は便座２の裏面の左右に対称に形成されているのはいうまでもない。
【発明の効果】
【００１０】
要するに本発明においては、ヒンジ部に汚水が流下するのを阻止する阻止部を便座の裏面に設けることによって、簡単な構成によって、便座の裏面に付着した汚水が起立させた便座よりヒンジ部に伝わるのを阻止し、掃除がし難いヒンジ部が汚されるのを防止するものである。
【発明を実施するための最良の形態】
【００１１】
以下、本発明を添付図面に示す実施の形態に基づいて説明する。
【００１２】
図１は一部省略した斜視図である。図２（ａ）は同上の便器の全体斜視図、同図（ｂ）は同上の温水洗浄便座のハウジングの概略斜視図である。
【００１３】
便器Ａは、便器本体１に温水洗浄便座装置１２が取付けられ、温水洗浄便座装置１２のケーシング７の便器本体１側の端部に凹所８が形成され、凹所８の両耳部９、９に支持孔１０が形成され、支持孔１０、１０間にわたって便蓋３の枢軸部がヒンジ部４において回動自在に枢支され、また、便蓋３の端部間にわたって便座２の枢軸部がヒンジ部４において回動自在に枢支されている。このような、ヒンジ部４の構成は変更することができる。また、便器Ａは、温水洗浄便座装置６を備えないで、便器本体１に便座２及び便蓋３をヒンジ部４において回動自在に枢支する一般便器であってもよい。
【００１４】
ヒンジ部４において回動されて起立され便座２の裏面で、ヒンジ部４の上方部で便座２の下縁のコーナー部に略Ｌ字状の突リブ６が一体に形成されていて、便座２の裏面に付着した汚水が起立させた便座２のヒンジ部４に向けて流下するのを阻止するようにしている。
【００１５】
このような構成によれば、便座２の裏面に設けた阻止部５によって便座２の裏面に付着した汚水が便座２のヒンジ部４に滴下するのを防止することができ、掃除が困難なヒンジ部４を汚すことがなく、かつ、阻止部５は便座２の裏面に設けられていて、従来の尿飛散防止シートのように使い勝手を低下させることがない。ところで、突リブ６は、便座２の裏面に付着した汚水がヒンジ部４に流下するのを阻止できればよく、突リブ６の形状は変更することができ、このようにヒンジ部４に汚水が流下するのを阻止する構成のものを阻止部５と総称する。阻止部５は、便座２の左右に形成されている。
【００１６】
図３は他の実施の形態を示し、阻止部５である突リブ６は、便座２の起立状態において便座２のヒンジ部４の上方部から便座２の左右中心付近の便座下縁部に向けて下り傾斜している。
【００１７】
このような構成によれば、便座２の裏面に付着した汚水は便座２の左右中心付近の便座下縁部に向けて下り傾斜する左右の突リブ６にてガイドされてヒンジ部４の上方部から左右中心部付近の便座下縁部に向けて流下され、便器本体１へと導くことが容易となり、一層、掃除が楽になる。
【００１８】
尚、突リブ６の形成に際して、射出成形される便座２に一体に（一次）成形する形態、便座２に二次成形する部分がある場合には、突リブ６も二次成形する形態、また、便座２に二次成形する部分がある場合で、その二次成形部を継続した形で突リブ６を（一次）成形する形態など、突リブ６の成形形態は種々のものがあり、この場合、突リブ６が便座２の裏面の意匠性を高めるようにすると、一層、よい。
【図面の簡単な説明】
【００１９】
【図１】本発明の実施の一形態の一部省略した斜視図である。
【図２】（ａ）は同上の便器の全体斜視図、（ｂ）は同上の温水洗浄便座のハウジングの概略斜視図である。
【図３】同上の他の実施の形態の一部省略した斜視図である。
【図４】同上の全体斜視図である。
【符号の説明】
【００２０】
１  便器本体
２  便座
３  便蓋
４  ヒンジ部
５  阻止部
【図１】
2006000490.tif 000003
【図２】
2006000490.tif 000004
【図３】
2006000490.tif 000005
【図４】
2006000490.tif 000006